(57)【要約】【課題】  本発明は、画像形成装置およびトナー供給装置に関し、トナー容器を取り外す際のトナーの零れによる装置汚れを抑える。【解決手段】  トナー容器が、容器開口部６７２を有する容器筐体と、弾性シール部材６７６と、容器開口部を塞ぐ閉塞位置と装着方向前端の少なくとも一部がシール部材と重なった状態にある開放位置との間でスライド自在であって、未装着の状態では閉塞位置にあり、装着時に開放位置に移動し、取外し時に閉塞位置に移動するシャッタ部材６７３とを有し、容器支持部材が、容器開口部６７２から送り出されたトナーをトナー被供給体に向けて通過させる支持部材開口部２９１を有し、さらに、開放位置にあるシャッタ部材６７３の装着方向（矢印Ｋ方向）前端部がシール部材６７６により押されることに起因するシャッタ部材６７３の装着方向後端部の浮き上がりを防止する浮上り防止機構を有する。【選択図】        図１３
2013097000.tif 000002
【特許請求の範囲】
【請求項１】
潜像の形成を受けさらにトナーによる現像を受けてトナー像を保持する像保持体と、
内部にトナーを収容し前記像保持体上に形成された潜像をトナーで現像する現像器と、
補給用トナーを収容し装着方向へのスライド操作および該装着方向とは逆向きの取外し方向へのスライド操作によりそれぞれ装着されおよび取外されるトナー容器と、
前記装着方向へのスライド操作により装着された前記トナー容器を支持する容器支持部材と、
前記容器支持部材に支持された前記トナー容器内のトナーを、前記現像器内のトナーの消費に応じて該現像器に供給するトナー供給器と、
前記像保持体由来のトナー像を記録媒体上に転写する転写器と、
前記記録媒体上に転写されたトナー像を該記録媒体上に定着する定着器とを備え、
前記トナー容器が、該トナー容器内のトナーを送り出す容器開口部を有する容器筐体と、該容器開口部と連通する穴を有し、該容器筐体の、該容器開口部を取り巻く領域に貼着された、弾性を有するシール部材と、該容器開口部を塞ぐ閉塞位置と該閉塞位置からのスライドにより該容器開口部を開放し、かつ前記装着方向前端の少なくとも一部が前記シール部材と重なった状態にある開放位置との間でスライド自在であって、該容器支持部材に未装着の状態では該閉塞位置にあり、装着時に該開放位置に移動し、取外し時に該閉塞位置に移動するシャッタ部材とを有し、
前記容器支持部材が、装着された状態の前記トナー容器の前記容器開口部と連通する位置に形成された、該容器開口部から送り出されたトナーを前記トナー供給器に向けて通過させる支持部材開口部を有し、さらに、
前記開放位置にある前記シャッタ部材の前記装着方向前端部が前記シール部材により押されることに起因する該シャッタ部材の前記装着方向後端部の浮き上がりを防止する浮上り防止機構を有することを特徴とする画像形成装置。
【請求項２】
前記容器支持部材が、前記トナー容器の前記装着方向へのスライドにより該支持部材開口部に近づいてきた前記シャッタ部材の該装着方向前端の突き当てを受けて該シャッタ部材の該装着方向への更なるスライドを阻止することにより該シャッタ部材を前記容器筐体に対し相対的に前記閉塞位置から前記開放位置にスライドさせる突当て部を有し、
前記シャッタ部材が、前記シール部材と接する側の面であって前記装着方向前端部に、該シール部材から離間した離間部を有し、
前記突当て部が前記シール部材と前記シャッタ部材の前記離間部との隙間に入り込んだ形状を有し、該突当て部と該シャッタ部材の該離間部の形状とにより前記浮上り防止機構が構成されていることを特徴とする請求項１記載の画像形成装置。
【請求項３】
前記容器支持部材がさらに、前記トナー容器の前記装着方向へのスライドにより該支持部材開口部に近づいてきた前記シャッタ部材の干渉を受けて該シャッタ部材により弾性的に押し退けられ該シャッタ部材が該装着方向に更に進んで該シャッタ部材との干渉が解除されると該シャッタ部材の該装着方向後端に回り込んで該シャッタ部材の前記取外し方向へのスライドを阻止する係止爪を有し、前記係止爪が前記シャッタ部材の前記装着方向後端部に重なって該後端部の浮き上がりを抑えるものであって、前記突当て部と該シャッタ部材の前記離間部の形状とに加え、さらに、該係止爪と該シャッタ部材の前記装着方向後端部の形状とにより、前記浮上り防止機構が構成されていることを特徴とする請求項２記載の画像形成装置。
【請求項４】
前記容器支持部材が、前記トナー容器の前記装着方向へのスライドにより前記支持部材開口部に近づいてきた前記シャッタ部材の干渉を受けて該シャッタ部材により弾性的に押し退けられ、該シャッタ部材が該装着方向に更に進むと該シャッタ部材との干渉が解除され該シャッタ部材の該装着方向後端に回り込んで該シャッタ部材の前記取外し方向へのスライドを阻止する係止爪を有し、前記係止爪が前記シャッタ部材の前記装着方向後端部に重なることによって該後端部の浮き上がりを抑えるものであって、該係止爪と該シャッタ部材の該装着方向後端部の形状とにより前記浮上り防止機構が構成されていることを特徴とする請求項１記載の画像形成装置。
【請求項５】
補給用トナーを収容し装着方向へのスライド操作および該装着方向とは逆向きの取外し方向へのスライド操作によりそれぞれ装着されおよび取外されるトナー容器と、
前記装着方向へのスライド操作により装着された前記トナー容器を支持する容器支持部材と、
前記容器支持部材に支持された前記トナー容器内のトナーを、トナーの供給を受けるトナー被供給体に供給するトナー供給器とを備え、
前記トナー容器が、該トナー容器内のトナーを送り出す容器開口部を有する容器筐体と、該容器開口部と連通する穴を有し、該容器筐体の、該容器開口部を取り巻く領域に貼着された、弾性を有するシール部材と、該容器開口部を塞ぐ閉塞位置と該閉塞位置からのスライドにより該容器開口部を開放し、かつ前記装着方向前端の少なくとも一部が前記シール部材と重なった状態にある開放位置との間でスライド自在であって、該容器支持部材に未装着の状態では該閉塞位置にあり、装着時に該開放位置に移動し、取外し時に該閉塞位置に移動するシャッタ部材とを有し、
前記容器支持部材が、装着された状態の前記トナー容器の前記容器開口部と連通する位置に形成された、該容器開口部から送り出されたトナーを前記トナー被供給体に向けて通過させる支持部材開口部を有し、さらに、
前記開放位置にある前記シャッタ部材の前記装着方向前端部が前記シール部材により押されることに起因する該シャッタ部材の前記装着方向後端部の浮き上がりを防止する浮上り防止機構を有することを特徴とするトナー供給装置。
【発明の詳細な説明】
【技術分野】
【０００１】
本発明は、画像形成装置およびトナー供給装置に関する。
【背景技術】
【０００２】
トナーで現像するタイプの画像形成装置では、着脱自在なトナー容器を装着し、トナーの消費に応じた量のトナーを補給する構成となっている。トナー容器は空になったときやメンテナンス時には引き出される。その引出しの際にトナーが零れないように開口部を塞ぐシャッタが設けられている。それでもなおシャッタを閉じる際にトナーが零れて装置汚れを引きおこすおそれがある。
【０００３】
特許文献１には、ホッパにトナーを補給するトナー補給容器であって、下面全面に広がる開口とその開口を塞ぐシャッタを有するトナー補給容器が開示されている。
【先行技術文献】
【特許文献】
【０００４】
【特許文献１】特開２００３−１０７８７１号公報
【発明の概要】
【発明が解決しようとする課題】
【０００５】
本発明は、トナー容器を取り外す際のトナーの零れによる装置汚れを抑えた画像形成装置およびトナー供給装置を提供することを目的とする。
【課題を解決するための手段】
【０００６】
請求項１は、
潜像の形成を受けさらにトナーによる現像を受けてトナー像を保持する像保持体と、
内部にトナーを収容し前記像保持体上に形成された潜像をトナーで現像する現像器と、
補給用トナーを収容し装着方向へのスライド操作および装着方向とは逆向きの取外し方向へのスライド操作によりそれぞれ装着されおよび取外されるトナー容器と、
装着方向へのスライド操作により装着されたトナー容器を支持する容器支持部材と、
容器支持部材に支持された前記トナー容器内のトナーを、現像器内のトナーの消費に応じて現像器に供給するトナー供給器と、
像保持体由来のトナー像を記録媒体上に転写する転写器と、
記録媒体上に転写されたトナー像を記録媒体上に定着する定着器とを備え、
上記トナー容器が、そのトナー容器内のトナーを送り出す容器開口部を有する容器筐体と、その容器開口部と連通する穴を有し、容器筐体の、容器開口部を取り巻く領域に貼着された、弾性を有するシール部材と、容器開口部を塞ぐ閉塞位置と閉塞位置からのスライドにより容器開口部を開放し、かつ装着方向前端の少なくとも一部がシール部材と重なった状態にある開放位置との間でスライド自在であって、容器支持部材に未装着の状態では閉塞位置にあり、装着時に開放位置に移動し、取外し時に閉塞位置に移動するシャッタ部材とを有し、
容器支持部材が、装着された状態のトナー容器の容器開口部と連通する位置に形成された、容器開口部から送り出されたトナーをトナー供給器に向けて通過させる支持部材開口部を有し、さらに、
開放位置にあるシャッタ部材の装着方向前端部がシール部材により押されることに起因するシャッタ部材の装着方向後端部の浮き上がりを防止する浮上り防止機構を有することを特徴とする画像形成装置である。
【０００７】
請求項２は、請求項１記載の画像形成装置において、容器支持部材が、トナー容器の装着方向へのスライドにより支持部材開口部に近づいてきたシャッタ部材の装着方向前端の突き当てを受けてシャッタ部材の装着方向への更なるスライドを阻止することによりシャッタ部材を容器筐体に対し相対的に閉塞位置から開放位置にスライドさせる突当て部を有し、シャッタ部材が、シール部材と接する側の面であって装着方向前端部に、シール部材から離間した離間部を有し、上記突当て部が上記シール部材とシャッタ部材の離間部との隙間に入り込んだ形状を有し、突当て部とシャッタ部材の離間部の形状とにより上記浮上り防止機構が構成されていることを特徴とする。
【０００８】
請求項３は、請求項２記載の画像形成装置において、容器支持部材がさらに、トナー容器の装着方向へのスライドにより支持部材開口部に近づいてきたシャッタ部材の干渉を受けてシャッタ部材により弾性的に押し退けられシャッタ部材が装着方向に更に進んでシャッタ部材との干渉が解除されるとシャッタ部材の装着方向後端に回り込んでシャッタ部材の取外し方向へのスライドを阻止する係止爪を有し、その係止爪がシャッタ部材の装着方向後端部に重なって後端部の浮き上がりを抑えるものであって、上記突当て部とシャッタ部材の上記離間部の形状とに加え、さらに、係止爪とシャッタ部材の装着方向後端部の形状とにより、上記浮上り防止機構が構成されていることを特徴とする。
【０００９】
請求項４は、請求項１記載の画像形成装置において、容器支持部材が、トナー容器の前記装着方向へのスライドにより支持部材開口部に近づいてきたシャッタ部材の干渉を受けてシャッタ部材により弾性的に押し退けられ、シャッタ部材が装着方向に更に進むとシャッタ部材との干渉が解除されシャッタ部材の装着方向後端に回り込んでシャッタ部材の取外し方向へのスライドを阻止する係止爪を有し、その係止爪がシャッタ部材の装着方向後端部に重なることによって後端部の浮き上がりを抑えるものであって、係止爪とシャッタ部材の装着方向後端部の形状とにより上記浮上り防止機構が構成されていることを特徴とする。
【００１０】
請求項５は、
補給用トナーを収容し装着方向へのスライド操作および装着方向とは逆向きの取外し方向へのスライド操作によりそれぞれ装着されおよび取外されるトナー容器と、
装着方向へのスライド操作により装着されたトナー容器を支持する容器支持部材と、
容器支持部材に支持された前記トナー容器内のトナーを、トナーの供給を受けるトナー被供給体に供給するトナー供給器とを備え、
上記トナー容器が、そのトナー容器内のトナーを送り出す容器開口部を有する容器筐体と、その容器開口部と連通する穴を有し、容器筐体の、容器開口部を取り巻く領域に貼着された、弾性を有するシール部材と、容器開口部を塞ぐ閉塞位置と閉塞位置からのスライドにより容器開口部を開放し、かつ装着方向前端の少なくとも一部がシール部材と重なった状態にある開放位置との間でスライド自在であって、容器支持部材に未装着の状態では閉塞位置にあり、装着時に該開放位置に移動し、取外し時に該閉塞位置に移動するシャッタ部材とを有し、
容器支持部材が、装着された状態のトナー容器の容器開口部と連通する位置に形成された、容器開口部から送り出されたトナーをトナー被供給体に向けて通過させる支持部材開口部を有し、さらに、
開放位置にあるシャッタ部材の前記装着方向前端部がシール部材により押されることに起因するシャッタ部材の装着方向後端部の浮き上がりを防止する浮上り防止機構を有することを特徴とするトナー供給装置である。
【発明の効果】
【００１１】
請求項１の画像形成装置および請求項５のトナー供給装置によれば、トナー容器の取外しの際のトナーによる装置汚れが抑えられる。
【００１２】
請求項２の画像形成装置によれば、トナー容器取外しの際に、シャッタ部材が開放位置から閉塞位置に確実に移動する。
【００１３】
請求項３の画像形成装置によれば、トナー容器の取外しの際に、シャッタ部材が閉塞位置にさらに確実に移動する。
【００１４】
請求項４の画像形成装置によれば、トナー容器の取外しの際に、シャッタ部材が閉塞位置に確実に移動する。
【図面の簡単な説明】
【００１５】
【図１】画像形成装置の一例としての複写機の外観斜視図である。
【図２】図１に外観を示す複写機の内部構成図である。
【図３】トナー容器から現像器へのトナー供給経路を示した模式図である。
【図４】トナー容器が容器支持部材上を装着方向にスライドされて、そのトナー容器の容器開口部が容器支持部材の支持部材開口部に近づいてきた状態を示した図である。
【図５】図４と比べトナー容器が装着方向にさらに移動した状態における、図４と同様な図である。
【図６】図５と比べトナー容器が装着方向にさらに移動して最終の装着状態に達した状態における、図４（Ａ）と同様な図である。
【図７】図６と同じ最終の装着状態におけるトナー容器を下から（容器支持部材側から）眺めたときの平面図である。
【図８】互いに重なった状態にある支持部材開口部および容器開口部とシャッタ部材の、比較例を示す模式断面図である。
【図９】シャッタ部材の前端部に特徴を有する実施形態（第２実施形態）における図８に示す比較例と同様の図である。
【図１０】シャッタ部材の前端部に特徴を有する第３実施形態における、図８，図９と同様の図である。
【図１１】シャッタ部材の後端部に特徴を有する第４実施形態における、図８〜図１０と同様の図である。
【図１２】シャッタ部材の後端部に特徴を有する第５実施形態における、図８〜図１１と同様の図である。
【図１３】シャッタ部材の前端部と後端部の双方に特徴を有する第１実施形態における、図８〜図１２と同様の図である。
【図１４】シャッタ部材の前端部と後端部との双方に特徴を有する第６実施形態における、図８〜図１３と同様の図である。
【発明を実施するための形態】
【００１６】
以下、本発明の実施形態を説明する。
【００１７】
図１は、画像形成装置の一例としての複写機の外観斜視図である。
【００１８】
この複写機１は、原稿読取部１Ａと画像形成部１Ｂとを有する。
【００１９】
原稿読取部１Ａには、原稿が重ねられた状態に置かれる原稿給紙台１１が備えられている。この原稿給紙台１１上に置かれた原稿は１枚ずつ送り出され、その原稿に記録されている文字や画像が読み取られて原稿排紙台１２上に排出される。
【００２０】
また、この原稿読取部１Ａは、奥側を左右に延びるヒンジを有し、そのヒンジを回転中心として、原稿給紙台１１および原稿排紙台１２を一体的に持ち上げることができ、その下には、透明ガラス製の原稿読取板１３（図２参照）が広がっている。この原稿読取部１Ａでは、原稿給紙台１１に原稿を置くことに代えて原稿読取板１３上に原稿を１枚だけ下向きに置き、その原稿読取板１３上の原稿から文字や画像を読み取ることもできる。
【００２１】
この原稿読取板１３の前側には、ユーザに向けて様々なメッセージを表示し、また、様々な操作ボタンを表示して、ユーザからの、原稿読取りや画像形成の指示等の操作を受ける表示操作部１４が備えられている。
【００２２】
この原稿読取部１Ａは、その全体が支持フレーム１５により支持されている。
【００２３】
また、画像形成部１Ｂは、その上面に画像が形成された用紙が排出される排紙台２１が設けられている。またこの画像形成部１Ｂの前面には、内部の、トナー容器等の部品の交換や搬送中に詰まった用紙の除去のために開けられる前カバー２２を備えている。また、その下には、画像形成前の用紙が積み重ねられた状態に収容される引き出し型の３台の給紙台２３＿１，２３＿２，２３＿３が収容されている。
【００２４】
また、この画像形成部１Ｂの左側面には、搬送中に詰まった用紙を取り除くときに開かれる横カバー２４が設けられている。
【００２５】
さらに、この画像形成部１Ｂの底面には、この画像形成部１Ｂを移動可能とする車輪２５１が取り付けられている。
【００２６】
図２は、図１に外観を示す複写機の内部構成図である。
【００２７】
透明ガラス製の原稿読取板１３の下には、原稿読取光学系３０が配備されている。この原稿読取光学系３０は、ランプ３１１とミラー３１２とを有する第１ブロック３１と、２枚のミラー３２１，３２２を有する第２ブロック３２と、画像を表わす光を読み取って画像信号を生成する光電センサ３３とを有する。
【００２８】
第１ブロック３１と第２ブロック３２は、原稿読取板１３に沿って矢印Ａ−Ａ’方向に移動可能であり、初期状態では、図２に示す左寄りの位置にある。
【００２９】
原稿給紙台１１上に置かれた原稿Ｓは、１枚ずつ送り込まれ、搬送ローラ１６により原稿読取板１３に接する搬送経路１７上を搬送される。原稿Ｓは、原稿読取板１３に接して搬送される際にランプ３１１により照射され、原稿Ｓからの反射光がミラー３１２，３２１，３２２で反射されて光電センサ３３で読み取られ、その原稿Ｓに記録されていた文字や画像を表わす画像信号が生成される。ランプ３１１による照射を受けた原稿Ｓはさらに搬送されて原稿排紙台１２上に送り出される。
【００３０】
原稿が原稿読取板１３上に置かれたときは、第１ブロック３１および第２ブロック３２が、原稿読取板１３上の原稿の読取位置と光電センサ３３との間の光学的な距離を常に同一に保つように矢印Ａ方向に移動する。そして、その間、ランプ３１１が原稿を照射し、光電センサ３３でその原稿上の文字や画像が読み取られて画像信号に変換される。
【００３１】
光電センサ３３で得られた画像信号は画像処理部３４に入力される。光電センサ３３で得られた画像信号はＲ（レッド）、Ｇ（グリーン）、およびＢ（ブルー）の各色を表わす画像信号であり、画像処理部３４は、このＲＧＢの画像信号をＹ（イエロー）、Ｍ（マゼンタ）、Ｃ（シアン）、およびＫ（黒）の４色分からなる画像データに変換して一時的に記憶する。そして、後述する潜像形成のための露光の時期に合わせて露光制御部４１に送信される。
【００３２】
この画像形成部１Ｂには露光器４２が備えられており、潜像形成にあたっては、露光制御部４１から露光器４２にＹ、Ｍ，Ｃ，Ｋの画像データが送り込まれ、露光器４２から、各Ｙ，Ｍ，Ｃ，Ｋの各画像データにより変調された各露光光４２１Ｙ，４２１Ｍ，４２１Ｃ，４２１Ｋが発せられる。
【００３３】
また、この図２には、露光制御部４１に隣接した位置に主制御部４０が示されている。この主制御部４０は、マイクロコンピュータと、そのマイクロコンピュータで実行されるプログラムとで構成されていて、露光制御部４１、表示操作部１４（図１参照）、画像処理部３４、その他図示しない各種電源回路や駆動回路等に接続され、この複写機１の全体の制御を担っている。
【００３４】
画像形成部１Ｂの下部には、前述した３台の給紙台２３＿１，２３＿２，２３＿３が左右の案内レール２４＿１，２４＿２，２４＿３に支持されて収容されている。各給紙台２３＿１，２３＿２，２３＿３には、用紙Ｐが積み重なった状態に収容されている。各給紙台２３＿１，２３＿２，２３＿３は、用紙Ｐの補給のために、案内レール２４＿１，２４＿２，２４＿３に案内されて引出し自在に構成されている。
【００３５】
それら３台の給紙台２３＿１，２３＿２，２３＿３のうちの、表示操作部１４（図１参照）の操作等により指定された給紙台（ここでは一例として給紙台２３＿１とする）からは、用紙Ｐがピックアップロール２５により送り出され、さばきロール２６により１枚ずつに分離され、その１枚の用紙Ｐが搬送ロール２７により上方に搬送され、待機ロール２８によりそれ以降の搬送のタイミングが調整されて、さらに上方に搬送される。この待機ロール２８以降の用紙の搬送については後述する。
【００３６】
この画像形成部１Ｂの中央部分には、Ｙ，Ｍ，Ｃ，Ｋの各色のトナーによるトナー像を形成する４つの像形成ユニット５０Ｙ，５０Ｍ，５０Ｃ，５０Ｋが配置されている。これら４つの像形成ユニット５０Ｙ，５０Ｍ，５０Ｃ，５０Ｋは、使用するトナーの色が異なることを除き、互いに同一の構成を有するため、ここでは像形成ユニット５０Ｙを取り挙げてその構成を説明する。
【００３７】
この像形成ユニット５０Ｙは、図２に矢印Ｂで示す向きに回転する感光体５１を有し、その感光体５１の周囲に、帯電器５２、現像器５３、およびクリーナ５５が配置されている。また、後述する中間転写ベルト６１を感光体５１との間に挟んだ位置には、転写器５４が置かれている。
【００３８】
感光体５１はロール形状を有し、帯電により電荷を保持し露光によりその電荷を放出してその表面に静電潜像を保持する。
【００３９】
帯電器５２は、感光体５１の表面をある帯電電位に帯電する。
【００４０】
また、この画像形成部１Ｂは、前述した露光器４２を有する。この露光器４２には、露光制御部４１から画像信号が入力され、その入力された画像信号に応じて変調された露光光４２１Ｙ，４２１Ｍ，４２１Ｃ，４２１Ｋを出力する。像形成ユニット５０Ｙを構成する感光体５１は、帯電器５２による帯電を受けた後、露光器４２からの露光光４２１Ｙの照射を受け、感光体５１の表面に静電潜像が形成される。
【００４１】
感光体５１は、露光光４２１Ｙの照射を受けて表面に静電潜像が形成された後、現像器５３により現像され、その感光体５１の表面にトナー像（この像形成ユニット５０Ｙではイエロー（Ｙ）のトナーによるトナー像）が形成される。
【００４２】
現像器５３は、内部にトナーとキャリアとからなる現像剤を収容したケース５３１内に、現像剤を攪拌する２本のオーガ５３２＿１，５３２＿２と、現像剤を感光体５１に対向した位置に運ぶ現像ロール５３３とを有する。感光体５１上に形成された静電潜像の現像にあたっては、現像ロール５３３にバイアス電圧が印加され、そのバイアス電圧の作用により、現像剤中のトナーが、感光体５１上に形成された静電潜像に従って感光体５１上に付着し、トナー像が形成される。
【００４３】
現像器５３による現像により感光体５１上に形成されたトナー像は、転写器５４の作用により中間転写ベルト６１上に転写される。
【００４４】
この転写後に感光体５１上に残存するトナーは、クリーナ５５によって感光体５１上から取り除かれる。
【００４５】
中間転写ベルト６１は、複数のロール６２に架け回された、無端の、矢印Ｃ方向に循環移動するベルトである。
【００４６】
像形成ユニット５０Ｙ，５０Ｍ，５０Ｃ，５０Ｋのそれぞれで形成された各色トナーによるトナー像は、順次重なるように中間転写ベルト６１上に転写され、転写器６３が配置された二次転写位置に搬送される。これと同期して、待機ロール２８にまで搬送されてきていた用紙が二次転写位置に搬送され、転写器６３の作用により、中間転写ベルト６１上のトナー像が、搬送されてきた用紙上に転写される。このトナー像の転写を受けた用紙は、さらに搬送され、定着器６４による加圧および加熱により用紙上のトナー像がその用紙上に定着され、定着されたトナー像からなる画像が用紙上に形成される。画像が形成された用紙はさらに搬送され、排出ローラ６５により、排紙台２１上に排出される。
【００４７】
転写器６３によりトナー像を用紙上に転写した後の中間転写ベルト６１はさらに循環移動し、その表面に残存するトナーがクリーナ６６によって中間転写ベルト６１上から取り除かれる。
【００４８】
また、画像形成部１Ｂの、中間転写ベルト６１よりも上方には、容器支持部材２９Ｙ，２９Ｍ，２９Ｃ，２９Ｋが設けられている。これらの容器支持部材２９Ｙ，２９Ｍ，２９Ｃ，２９Ｋには、イエロー（Ｙ）、マゼンタ（Ｍ），シアン（Ｃ）、および黒（Ｋ）の各色トナーを収容するトナー容器６７Ｙ，６７Ｍ，６７Ｃ，６７Ｋが装着されている。トナー容器６７Ｙ，６７Ｍ，６７Ｃ，６７Ｋを容器支持部材２９Ｙ，２９Ｍ，２９Ｃ，２９Ｋに装着するにあたっては、操作者により、トナー容器６７Ｙ，６７Ｍ，６７Ｃ，６７Ｋを装着方向（この図２の紙面の上から紙面を貫く方向）にスライドさせるスライド操作が行なわれ、このスライド操作により装着される。また、トナー容器６７Ｙ，６７Ｍ，６７Ｃ，６７Ｋを容器支持部材２９Ｙ，２９Ｍ，２９Ｃ，２９Ｋから取り外す際は、操作者により、装着方向とは逆向きの取外し方向へのスライド操作が行なわれて、そのスライド操作により取り外される。容器支持部材２９Ｙ，２９Ｍ，２９Ｃ，２９Ｋに装着されたトナー容器６７Ｙ，６７Ｍ，６７Ｃ，６７Ｋからは、それらのトナー容器６７Ｙ，６７Ｍ，６７Ｃ，６７Ｋに収容されている各色トナーが、各現像器５３に対応して備えられた各トナー供給器７３（図３参照）を経由して、対応する各現像器５３におけるトナー消費量に応じて各現像器に補給される。
【００４９】
図３は、トナー容器から現像器へのトナー供給経路を示した模式図である。
【００５０】
この図３、および後述する各図において、例えばトナー容器についてはトナー容器６７として示すなど、使用するトナーの色に無関係の構成要素については、トナーの色を区別するためのＹ，Ｍ，Ｃ，Ｋの符号を省いて示している。
【００５１】
この図３には、感光体５１、露光器４２、現像器５３、トナー容器６７、容器支持部材２９、およびトナー供給器７３が示されている。ここで、現像器５３には、前述の通り、ケース５３１、２本のオーガ５３２＿１，５３２＿２、現像ロール５３３を備えている。さらにここには、ケース５３１に収容された現像剤８０、２本のオーガ５３２＿１，５３２＿２が配置された部屋の、図３の紙面に垂直な方向の両隅を除く中央部分を仕切る仕切り壁５３４、現像ロール５３３上に形成される現像剤の層厚を規制する層厚規制部５３５が示されている。
【００５２】
感光体５１は、図示の矢印Ｂの向きに回転しながら帯電器５２（図２参照）による帯電を受け露光器４２からの露光光４２１の照射を受けて表面に静電潜像が形成され、さらに現像器５３による現像により、その感光体５１の表面にトナー像が形成される。
【００５３】
現像器５３のケース５３１内の現像剤８０はトナーとキャリアを有し、２本のオーガ５３２＿１，５３２＿２により図３の紙面に垂直な向きに循環移動されながら撹拌されている。
【００５４】
このケース５３１内の現像剤８０は、矢印Ｅ方向に回転する現像ロール５３３の表面に付着し、層厚規制部材５３５により層厚の規制を受けて感光体５１に対向した位置に搬送される。その対向した位置において、感光体５１の表面に形成された静電潜像に応じて現像剤中のトナーが感光体５１の表面に付着して感光体５１上にトナー像が形成される。現像ロール５３３上の現像剤は、現像ロール５３３の回転に伴ってさらに搬送され、ケース５３１内で現像ロール５３３から離れ、オーガ５３２＿１，５３２＿２により撹拌される。このようにして、感光体５１上の静電潜像の現像にトナーが使用されることによりケース５３１内の現像剤８０を構成するトナーが消費されると、ケース５３１内の現像剤８０はキャリアの比率が高まることになる。
【００５５】
そこで、その現像器５３のケース５３１内のトナーの減少を補うように、容器支持部材２９上に支持されたトナー容器６７内のトナー８１が現像器５３に供給される。トナー８１が現像器５３に供給されるにあたっては、トナー供給器７３内で回転するトナー搬送部材７３１が現像器５３内のトナーの消費に応じて回転し、このトナー搬送部材７３１によりトナーがトナー供給器７３内を矢印Ｊで示す向きに搬送され、現像器５３のケース５３１内に収容される。トナー容器６７からトナー供給器７３を経由して現像器５３に収容されたトナーは、オーガ５３２＿１，５３２＿２により、現像器５３のケース５３１内の現像剤８０とともに撹拌される。
【００５６】
ここで、トナー容器６７は、トナー８１を収容する容器筐体６７１を有し、その容器筐体６７１の、トナー容器６７が容器支持部材２９により下から支持された状態における下面には、容器開口部６７２が形成されている。この容器開口部６７２からは、トナー容器６７に収容されていたトナー８１がトナー供給器７３に向けて送り出される。またこのトナー容器６７はこの容器開口部６７２を塞ぐシャッタ部材６７３を備えている。このトナー容器６７は、容器支持部材２９上を、図２の紙面の上方から図２の紙面に垂直な方向（装着方向）にスライド操作されることにより容器支持部材２９上に装着された状態に支持される。また、このトナー容器６７は、逆方向（取外し方向）にスライド操作されることにより、容器支持部材２９上から取り外される。ここで、このトナー容器６７に設けられたシャッタ部材６７３は、容器開口部６７２を塞ぐ閉塞位置と容器開口部６７２を開放した開放位置との間でスライド自在であって、容器支持部材２９への未装着の状態では閉塞位置にある。このシャッタ部材６７３は、トナー容器６７が装着方向にスライドされて容器支持部材２９に装着されると、装着方向へのスライドに伴って閉塞位置から開放位置に移動する。またこのシャッタ部材６７３は、トナー容器６７が容器支持部材２９上に装着されている状態から取外し方向にスライドされると、そのスライドにより開放位置から閉塞位置にスライドする。
【００５７】
また、容器支持部材２９は、装着された状態のトナー容器６７の容器開口部６７２と連通する位置に、上方に開口した支持部材開口部２９１を有する。この支持部材開口部２９１は、トナー供給器７３の入口であり、装着された状態のトナー容器６７の容器開口部６７２から送り出されたトナー８１をトナー供給器７３に向けて通過させる。このようにして、トナー容器６７内のトナー８１は、容器開口部６７２および支持部材開口部２９１を通過してトナー供給器７３に入る。
【００５８】
トナー供給器７３内のトナー搬送部材７３１は、上述した通り現像器５３内のトナーの消費に応じて回転し、その消費に応じた分のトナーが現像器５３に供給される。
【００５９】
図４は、トナー容器が容器支持部材上を装着方向にスライドされて、そのトナー容器の容器開口部が容器支持部材の支持部材開口部に近づいてきた状態を示した図である。図４（Ａ），（Ｂ）は、それぞれ、トナー容器の容器開口部近傍の断面図（Ａ）と、シャッタ部材のみを残してトナー容器を取り去ったときの、上から（トナー容器側から）眺めた平面図（Ｂ）である。
【００６０】
また、図５（Ａ），（Ｂ）は、図４と比べトナー容器が装着方向にさらに移動した状態における、図４（Ａ），（Ｂ）とそれぞれ同様な図である。
【００６１】
さらに、図６は、図５と比べトナー容器が装着方向にさらに移動して最終の装着状態に達した状態における、図４（Ａ）と同様な図である。
【００６２】
さらに図７は、図６と同じ最終の装着状態におけるトナー容器を下から（容器支持部材側から）眺めたときの平面図である。
【００６３】
図４（Ａ）に示すように、トナー容器６７の容器筐体６７１内には、回転により内部のトナー（図示せず）を撹拌する撹拌部材６７４が設けられている。この攪拌部材６７４は、その端部に設けられたカップリング部材６７５を介して画像形成部１Ｂ（図１，図２参照）の本体側からの回転駆動力を受けて回転し、内部のトナーを撹拌しながら容器開口部６７２に運ぶ役割りを担っている。
【００６４】
また図４（Ａ）の左下隅には、容器支持部材２９に設けられた、支持部材開口部２９１が示されている。図示の矢印Ｋは、装着方向を示している。また、この容器支持部材２９は、突当て部２９２を有する。この突当て部２９２は、図５に示すように、トナー容器６７の装着方向（矢印Ｋ方向）へのスライドにより支持部材開口部２９１に近づいてきたシャッタ部材６７３の装着方向前端６７３ａの突き当てを受ける壁部である。この突当て部２９２は、シャッタ部材６７３の装着方向前端６７３ａの突き当てを受けて、シャッタ部材の装着方向への更なるスライドを阻止する。このため、トナー容器６７の容器筐体６７１がさらに装着方向にスライドすると、突当て部２９２は、そのシャッタ部材６７３を、容器開口部６７２を塞いでいた閉塞位置（図４（Ａ）、図５（Ａ）参照）から容器開口部６７２を開放した開放位置（図６参照）に、容器筐体６７１に対し相対的にスライドさせる。
【００６５】
また、容器支持部材２９は、トナー容器６７が装着方向（矢印Ｋ方向）に移動してきたときにシャッタ部材６７３の側面６７３ｂと干渉する位置に片持ち梁形状の係止爪２９３（図４（Ｂ）参照）が設けられている。トナー容器６７が装着方向（矢印Ｋ方向）にスライドされてくると、係止爪２９３の先端部２９３ａがシャッタ部材６７３と干渉して図４（Ｂ）に示すように押し退けられて係止爪２９３が弾性的に撓み、そのシャッタ部材６７３の側面６７３ｂがその係止爪２９３の先端部２９３ａを擦るようにしてさらに装着方向に進む。そして、シャッタ部材６７３が、その前端６７３ａが突当て部２９２に突き当てられる直前の位置まで進むと、係止爪２９３は、図５（Ｂ）に示すように、シャッタ部材６７３との干渉が解除されて係止爪２９３の先端部２９３ａがシャッタ部材６７３の後端６７３ｃに回り込み、シャッタ部材６７３の、取外し方向（矢印Ｋとは逆の方向）へのスライドが阻止された状態となる。
【００６６】
トナー容器６７は、容器支持部材２９への装着にあたり、シャッタ部材６７３の前端６７３ａが突当て部２９２に突き当てられた後もさらに装着方向（矢印Ｋ方向）にスライドし、最終的に図６，図７に示す状態となる。すなわち、シャッタ部材６７３の前端６７３ａが突当て部２９２に突き当てられた状態でトナー容器６７がさらに装着方向（矢印Ｋ方向）にスライドした結果、シャッタ部材６７３は、容器筐体６７１に対し相対的に矢印Ｋ方向とは逆向きにスライドして、容器開口部６７２を開放した開放位置（図６，図７に示す位置）に移動する。そして容器開口部６７２が、支持部材開口部２９１と連通した位置で装着完了となる。
【００６７】
図７に示すように、トナー容器６７は、シール部材６７６を有する。このシール部材６７６には、容器開口部６７２と連通する穴６７６ａが形成されており、容器筐体６７１の、容器開口部６７２を取り巻く領域に貼り付けられている。シャッタ部材６７３は、容器筐体６７１に対し相対的に、容器開口部６７２を塞いだ閉塞位置と、容器開口部６７２を開放した、図７に示す開放位置との間でスライドするが、そのスライドの際、シャッタ部材６７３は、そのシール部材６７６上をスライドする。
【００６８】
このように、本実施形態では、容器開口部６７２を取り巻く領域にシール部材６７６が貼り付けられている。このため、シャッタ部材６７３が閉塞位置にあるときは、容器筐体６７１の容器開口部６７２の周りの領域とシャッタ部材６７３とでシール部材６７６を挟んだ状態となり、トナーの洩れが防止される。またシャッタ部材６７３が開放位置にあるときは、シール部材６７６は、図６に示すように、容器筐体６７１の容器開口部６７２の周りの領域と容器支持部材２９の支持部材開口部２９１の周りの領域とに挟まれた状態となる。これにより、容器開口部６７２から送り出されたトナーが支持部材開口部２９１を通過せずに外部に漏れてしまうことが防止される。
【００６９】
また、このシャッタ部材６７３は、図７に示すように、開放位置にあるときも、その前端６７３ａはシール部材６７６と重なった位置にある。このように、開放位置にあるときもシャッタ部材６７３の一部をシール部材６７６と重ねた状態にしておくことにより、開放位置から閉塞位置にスライドする際にシャッタ部材６７３がシール部材６７６に突き当たってシール部材６７６を捲り上げてしまったり、シャッタ部材６７３が閉塞位置に移動しないことなどの事故が防止される。
【００７０】
トナー容器６７を容器支持部材２９から取り外す際は、トナー容器６７は、装着方向（矢印Ｋ方向）とは逆向きの取外し方向にスライドされる。シャッタ部材６７３は、図５（Ｂ）に示すように、装着方向後端（取外し方向前端）６７３ｃが係止爪２９３により係止されているため取外し方向に移動することはできない。このため、容器筐体６７１の取外し方向へのスライドにより、その容器筐体６７１に対し相対的に図５に示す開放位置から、容器開口部２９１を塞ぐ閉塞位置へとスライドする。シャッタ部材６７３が閉塞位置に移動したタイミングで容器筐体６７１に設けられた係止解除リブ６７９（図７参照）が
係止爪２９３（図５（Ｂ）参照）を横に押し退ける。すると、シャッタ部材６７３は、係止爪２９３による係止から解放され、容器開口部６７２を塞いだ閉塞位置にスライドした状態のまま、容器筐体６７１とともにトナー容器６７の全体が取り外される。
【００７１】
ここで、シャッタ部材６７３は、容器開口部６７２と向き合う側の面６７３ｄの、装着方向前端部に、装着方向前端６７３ａに向かうほど容器開口部６７２から離れる向きに離間した斜面６７３ｅを有する。
【００７２】
また、突当て部２９２は、シャッタ部材６７３の前端６７３ａが突き当てられた際にそのシャッタ部材６７３の斜面６７３ｅと面接触するように斜面に形成されている。
【００７３】
また、シャッタ部材６７３の装着方向（矢印Ｋ方向）の後端６７３ｃには、図４（Ｂ）に示すように、係止爪２９３側の隅に、装着方向後方に突出した突出部６７３ｉを有する。また、これに対応して、係止爪２９３の先端部２９３ａには、シャッタ部材６７３の突出部６７３ｉに対応した部分が段状に窪んだ段部２９３ｂを有する。
【００７４】
トナー容器６７が装着状態にあるときは、図６に示すように、シャッタ部材６７３の前端部の斜面６７３ｅが斜面に形成された突当て部２９２に突き当たり、かつ、シャッタ部材６７３の後端の突出部６７３ｉの上に係止爪２９３の先端部２９３ａに設けられた段部２９３ｂが重なった状態となる。
【００７５】
以下では、これまで説明してきた実施形態（第１実施形態と称する）とは一旦離れ、シャッタ部材６７３と突当て部２９２との相互作用、およびシャッタ部材６７３と係止爪２９３との相互作用について詳細に説明する。
【００７６】
図８は、互いに重なった状態にある支持部材開口部および容器開口部とシャッタ部材の、比較例を示す模式断面図である。
【００７７】
ここでは、分かり易さのため、例えばシャッタ部材については比較例であるかいずれの実施形態であるかを問わずに、形状の相違があっても符号‘６７３’を付して示すなど、同一の概念の要素には形状等の相違を超えて同一の符号を付して示している。
【００７８】
上述の第１実施形態におけるシャッタ部材６７３（例えば図６や、後述する図１２参照）の装着方向前端部には、容器開口部６７２と向き合う側面６７３ｄに、装着方向前端６７３ａに向かうほど容器開口部６７２から離れる向きに離間した斜面６７３ｅを有する。これに対し、この図８に示す比較例としてのシャッタ部材６７３の前端部に形成されている斜面６７３ｅは、容器開口部６７２と向き合う側の面６７３ｄではなく、その面６７３ｄに対する裏面６７３ｋに形成されている。これに対応して、突当て部２９２も、第１実施形態における突当て部２９２（例えば図６，図１２参照）とは逆斜め向きの斜面となっている。
【００７９】
シャッタ部材６７３は、トナー容器の容器筐体に対し、ある程度の遊びをもって取り付けられている。トナー容器は人間によって装着方向、取外し方向にスライドされるが、トナー容器を容器支持部材上にスライドさせる際、容器支持部材に対するトナー容器の姿勢の自由度が小さいと操作性が極めて悪い。このためトナー容器の操作性を向上させるために容器支持部材に対しトナー容器が多少傾いた姿勢でスライド操作されてもそれを受け入れるようにガタを持たせている。この一貫としてシャッタ部材にもガタを持たせている。
【００８０】
また、シャッタ部材６７３は、閉塞位置にあるときには、そのシール部材６７６を、容器筐体の、容器開口部６７２の周囲の部分との間に挟み込むことにより、容器開口部６７２からのトナーの洩れを防止するものであり、このためシール部材６７６は、上下方向（容器筐体との間にシール部材６７６を挟む方向）に関しシール部材６７６を少し押圧した位置にある。さらに、シャッタ部材６７３は、開放位置から閉塞位置へのスライドを円滑にするために、開放位置においても、そのシャッタ部材６７３の装着方向（矢印Ｋ方向）の前端部がシール部材６７６と重なった位置にある。このため、開放位置にあるシャッタ部材６７３の、シール部材６７６と重なった前端部は、その前端部で押し潰されたシール部材６７６により、図１３に矢印Ｍで示す下方向に押される。
【００８１】
この前端部が下方向に押されると、上述のガタを持たせていることから、何も対策を採らなかったときは、このシャッタ部材６７３の後端部が図８に矢印Ｎで示す上方向に回転し、シャッタ部材６７３は、図１３に一点鎖線で示した状態となる。
【００８２】
すると、トナー容器は容器支持部材に対しガタを持っているためトナー容器を容器支持部材から取り外す際のトナー容器の姿勢によっては、シャッタ部材６７３の後端６７３ｃに対する本来はその後端６７３ｃを係止している係止爪２９３による係止が、シャッタ部材６７３が閉塞位置に移動して容器開口部６７２を塞ぐ前に外れてしまい、容器開口部６７２がシャッタ部材６７３で完全には閉じられない状態のまま引き出され、トナー汚れが生じるおそれがある。
【００８３】
図８に示す比較例の場合、シャッタ部材６７３の前端部に斜面６７３ｅが形成され、突当て部２９２の斜面と面接触することによりシャッタ部材６７３の前端部がシール部材６７６により矢印Ｍ方向に押されても突当て部２９２がシャッタ部材６７３の斜面６７３ｅに干渉してシャッタ部材６７３の回転が防止されるように一応は考えられる。しかしながら、シャッタ部材６７３は、その前後が突当て部２９２と係止爪２９３とに挟まれた状態にはあるものの、突当て部２９２に斜面６７３ｅが突き当てられた状態ではシャッタ部材６７３の後端６７３ｃと係止爪２９３との間には隙間がある。このため、トナー容器が取外し方向（矢印Ｋとは逆の方向）にスライドを開始すると、そのスライドの初期においてシャッタ部材６７３はその後端６７３ｃが係止爪２９３に突き当てられるまで容器筐体とともに取外し方向に移動する。このため、この取外し方向へのスライドの初期においてシャッタ部材６７３は突当て部２９２から離れ、その時にシール部材６７６からの矢印Ｍ方向への力が加わると、図８に一点鎖線で示した姿勢となり勝ちである。上述の通り、トナー容器は操作性向上のために容器装着部材に対しある程度の姿勢の自由度をもって操作することができるように構成されている。このため、取外し方向へのスライドの際のトナー容器の姿勢によっては、図８に一点鎖線で示したシャッタ部材６７３の姿勢も手伝って、シャッタ部材６７３の後端６７３ｃが係止爪２９３に正しく突き当たらずに外れてしまうことがある。シャッタ部材６７３の後端６７３ｃが係止爪２９３から外れると、トナー容器を取外し方向にさらにスライドさせたときに容器開口部６７２がシャッタ部材６７３で正しく塞がれることなくトナー容器が取り出されてしまい、そのトナー容器内に残存していたトナーが容器開口部６７２から洩れ出して装置汚れや操作者の衣服の汚れ等が生じるおそれがある。
【００８４】
図９は、前述の第１実施形態とは異なるが、シャッタ部材６７３の前端部に特徴を有する実施形態（第２実施形態）における図８に示す比較例と同様の図である。
【００８５】
この図９に示す第２実施形態の場合、シャッタ部材６７３の装着方向（矢印Ｋ方向）の前端部に、前述の第１実施形態（例えば図６，図１２参照）と同様の斜面６７３ｅが形成されている。すなわち、この第２実施形態における斜面６７３ｅは、装着方向前端部であってシール部材６７６と接する側の面６７３ｄに、装着方向（矢印Ｋ方向）の前端６７３ａに向かうほど容器開口部６７２から離れる向きに離間した形状の斜面である。またこれに対応して、突当て部２９２も、シャッタ部材６７３の斜面６７３ｅとシール部材６７６との隙間に入り込んだ形状の斜面に形成されている。このため、図８に示す比較例と比べると、このシャッタ部材６７３を、その前端６７３ａから長い範囲ｄにわたってシール部材６７６と重ねることができる。すると、図８に示す比較例と比べ、シール部材６７６から押される力点がシャッタ部材６７３の後端６７３ｃ側に寄った位置となる。このため、シール部材６７６から、図８に示す比較例の場合と同じ強さの力を受けた場合であっても、図８に一点鎖線で示したような、シャッタ部材６７６の後端６７３ｃの浮き上がりが生じにくい。したがって、トナー容器を取外し方向にスライドさせたとき、シャッタ部材６７３の後端６７３ｃが係止爪２９３に突き当たり、シャッタ部材６７３が容器開口部６７２を塞いだ閉塞位置に確実にスライドし、トナーによる汚れが防止される。
【００８６】
図１０は、シャッタ部材６７３の前端部に特徴を有する第３実施形態における、図８，図９と同様の図である。
【００８７】
この図１０に示す第３実施形態のシャッタ部材６７３の装着方向（矢印Ｋ方向）の前端部には、シール部材６７６と接する側の面に、そのシール部材６７６から段状に離間した段部６７３ｇを有する。これに対応して突当て部２９２は、シャッタ部材６７３のシール部材６７６から離間した段部６７３ｇとシール部材６７６との隙間に入り込む段形状に形成されている。このような段構造によっても、図９に示す斜面の構造と同様、シール部材６７６から押される力点をシャッタ部材６７３の後端６７３ｃ側に寄せることができ、これによりシャッタ部材６７３の後端６７３ｃの浮き上がりを防止ないし低減させることができる。したがって、トナー容器取外しの際にシャッタ部材を確実に閉塞位置に移動させ、トナーによる汚れの防止が図られる。
【００８８】
図１１は、今度はシャッタ部材の後端部に特徴を有する第４実施形態における、図８〜図１０と同様の図である。
【００８９】
この図１１の第３実施形態のシャッタ部材６７３は、その後端に、後方に向かって突出した突出部６７３ｉが形成されている。尚、この突出部６７３ｉは、前述の第１実施形態における突出部６７３ｉ（図４（Ａ）参照）と同様、係止爪２９３側にのみ形成されているものであって、したがってこの図１１は厳密な断面図からは外れるが、この図１１においても、分かり易さのために模式的に示してある。以下に説明する各図についても同様である。
【００９０】
また、この突出部６７３ｉに対応して、係止爪２９３には、段状に窪んだ段部２９３ｂが形成されている。シャッタ部材６７３が開放位置にあるときには、係止爪２９３の段部２９３ｂがシャッタ部材６７３の突出部６７３ｉの上に重なり、したがってシャッタ部材６７３の前端部がシール部材６７６から力を受けたとしてもシャッタ部材６７３の後端の浮き上がりが防止される。したがってトナー容器の取り外しの際、シャッタ部材６７３は容器開口部６７２を塞ぐ閉塞位置に確実に移動し、トナーによる汚れが防止される。
【００９１】
図１２は、図１１に示す第４実施形態と同様にシャッタ部材の後端部に特徴を有する第５実施形態における、図８〜図１１と同様の図である。
【００９２】
この図１２に示す第５実施形態のシャッタ部材６７３の後端部には、斜面６７３ｊが形成されており、係止爪２９３にもその斜面６７３ｊに向き合う斜面２９３ｃが形成されている。シャッタ部材６７３が開放位置にあるときには係止爪２９３の斜面２９３ｃがシャッタ部材の斜面６７３ｊの上に重なり、したがって、図１１に示す第４実施形態の場合と同様、シャッタ部材６７３の前端部がシール部材６７６から力を受けてもシャッタ部材６７３の後端の浮き上がりが防止される。したがってトナー容器の取り外しの際、シャッタ部材６７３は容器開口部６７２を塞ぐ閉塞位置に確実に移動し，トナーによる汚れが防止される。
【００９３】
図１３は、前述の第１実施形態、すなわち、シャッタ部材の前端部と後端部の双方に特徴を有する第１実施形態における、図８〜図１２と同様の図である。
【００９４】
この図１３における第１実施形態のシャッタ部材６７３の前端部の斜面６７３ｅ、および斜面形状の突当て部２９２については図９に示す第２実施形態と同じであり、シール部材６７６から受ける力の力点をシャッタ部材６７３の後端寄りにずらすことによりシャッタ部材６７３の後端の浮き上がりを抑えている。また、この図１３にに示す第１実施形態におけるシャッタ部材６７３の後端部の突出部６７３ｉと係止爪２９３の段部２９３ｂについては、図１１に示す第４実施形態と同じであり、シャッタ部材６７３の突出部６７３ｉを係止爪２９３の段部２９３ｂで上から抑えることにより、シャッタ部材６７３の後端の浮き上がりを防止している。
【００９５】
このように図１３に示す第１実施形態の場合は、シャッタ部材６７３の後端の浮き上がりが一層確実に防止され、したがってトナーによる汚れも一層確実に防止される。
【００９６】
図１４は、図１３に示す第１実施形態と同様、シャッタ部材の前端部と後端部との双方に特徴を有する第６実施形態における、図８〜図１３と同様の図である。
【００９７】
この図１４における第６実施形態のシャッタ部材６７３の前端部の斜面６７３ｅ、および斜面形状の突当て部２９２については図９に示す第２実施形態と同じであり、シール部材６７６から受ける力の力点をシャッタ部材６７３の後端寄りにずらすことによりシャッタ部材６７３の後端の浮き上がりを抑えている。また、この図１４に示す第６実施形態におけるシャッタ部材６７３の後端部の斜面６７３ｉと係止爪２９３の斜面２９３ｃについては、図１２に示す第５実施形態の場合と同じであり、シャッタ部材６７３の斜面６７３ｊを係止爪２９３の斜面２９３ｃで上から抑えることにより、シャッタ部材６７３の後端の浮き上がりを防止している。このようにこの図１４に示す第６実施形態の場合、図１３に示す第１実施形態の場合と同様、シャッタ部材６７３の後端の浮き上がりが一層確実に防止され、したがってトナーによる汚れも一層確実に防止される。
【００９８】
尚、ここでは、図１，図２に示す複写機を例に挙げて説明したが、本発明は、複写機に限られるものではない。本発明は、トナーで現像するタイプの画像形成装置であればその形態の如何を問うものではなく、例えばプリンタやファクシミリなどにも広く適用することができる。
【符号の説明】
【００９９】
１        複写機
１Ａ        原稿読取部
１Ｂ        画像形成部
２９，２９Ｙ，２９Ｍ，２９Ｃ，２９Ｋ        容器支持部材
５０Ｙ，５０Ｍ，５０Ｃ，５０Ｋ        像形成ユニット
５１        感光体
５２        帯電器
５３        現像器
５４        転写器
６１        中間転写ベルト
６３        転写器
６４        定着器
６５        排出ローラ
６７，６７Ｙ，６７Ｍ，６７Ｃ，６７Ｋ        トナー容器
７３        トナー供給器
８０        現像剤
８１        トナー
２９１        支持部材開口部
２９２        突当て部
２９３        係止爪
２９３ａ        先端部
２９３ｃ，６７３ｅ，６７３ｊ        斜面
２９３ｂ，６７３ｇ        段部
６７１        容器筐体
６７２        容器開口部
６７３        シャッタ部材
６７３ａ        前端
６７３ｂ        側面
６７３ｃ        後端
６７３ｄ        面
６７３ｉ        突出部
６７３ｋ        裏面
６７４        撹拌部材
６７５        カップリング部材
６７６        シール部材
６７６ａ        穴
６７９        係止解除リブ
【図１】
2013097000.tif 000003
【図２】
2013097000.tif 000004
【図３】
2013097000.tif 000005
【図４】
2013097000.tif 000006
【図５】
2013097000.tif 000007
【図６】
2013097000.tif 000008
【図７】
2013097000.tif 000009
【図８】
2013097000.tif 000010
【図９】
2013097000.tif 000011
【図１０】
2013097000.tif 000012
【図１１】
2013097000.tif 000013
【図１２】
2013097000.tif 000014
【図１３】
2013097000.tif 000015
【図１４】
2013097000.tif 000016